(57)【要約】【課題】ユーザの日常に関する情報に基づいて、ユーザに利益となる情報をより適切に提供すること。【解決手段】リスト端末１は、位置取得部５１、センサ情報取得部５２及びアクティビティ情報取得部５３と、特典情報提供部５５とを備える。位置取得部５１、センサ情報取得部５２及びアクティビティ情報取得部５３は、日時、時間（時間の長さ）及び場所の少なくともいずれかに関連するユーザの履歴情報に基づいて、ユーザの健康状態に影響を及ぼす要因情報を取得する。特典情報提供部５５は、センサ情報取得部５２及びアクティビティ情報取得部５３によって取得された要因情報に基づいて、ユーザにとって注意を要するリスクに関連する特典情報を提供する。【選択図】図２
2019057069.tif 000002
【特許請求の範囲】
【請求項１】
日時、時間及び場所の少なくともいずれかに関連するユーザの履歴情報に基づいて、ユーザの健康状態に影響を及ぼす要因情報を取得する要因情報取得手段と、
前記要因情報取得手段によって取得された前記要因情報に基づいて、ユーザにとって注意を要するリスクに関連する特典情報を提供する特典情報提供手段と、
を備えることを特徴とする電子機器。
【請求項２】
前記要因情報取得手段によって取得された前記要因情報が前記リスクに与える影響を示す評価値を前記リスクの種類毎に算出する評価値算出手段を備え、
前記特典情報提供手段は、前記評価値算出手段によって算出された前記評価値に基づいて、前記リスクの種類毎にリスクの高さを判定し、ユーザにとって注意を要するリスクを特定することを特徴とする請求項１に記載の電子機器。
【請求項３】
前記特典情報提供手段は、前記要因情報における日時、時間及び場所のうち、少なくとも２つがリスクに与える影響をそれぞれ反映させて、ユーザにとって注意を要するリスクを特定することを特徴とする請求項１または２に記載の電子機器。
【請求項４】
前記要因情報には、前記ユーザが滞在した地域に依存する要因情報が含まれることを特徴とする請求項１から３のいずれか１項に記載の電子機器。
【請求項５】
前記要因情報には、前記ユーザ周辺の環境に依存する要因情報が含まれることを特徴とする請求項１から４のいずれか１項に記載の電子機器。
【請求項６】
前記特典情報提供手段は、ユーザにとって注意を要するリスクについて、前記要因情報に基づくアドバイス情報を含む前記特典情報を提供することを特徴とする請求項１から５のいずれか１項に記載の電子機器。
【請求項７】
前記特典情報提供手段は、前記要因情報取得手段によって取得された前記要因情報に基づいて、前記ユーザの履歴情報が健康に対して適切であると判定される特定条件に適合しているか否かを判定し、前記ユーザの履歴情報が前記特定条件に適合している場合、ユーザに対して、保険に関する利益を付与するための前記特典情報を提供することを特徴とする請求項１から６のいずれか１項に記載の電子機器。
【請求項８】
電子機器と、前記電子機器とネットワークを介して通信可能に構成されたサーバとを含む特典情報提供システムにおけるサーバであって、
前記電子機器から、日時、時間及び場所の少なくともいずれかに関連するユーザの履歴情報に基づく、ユーザの健康状態に影響を及ぼす要因情報を含む特典情報提供要求を取得する要求取得手段と、
前記要求取得手段によって取得された前記要因情報に基づいて、ユーザにとって注意を要するリスクに関連する特典情報を取得する特典情報取得手段と、
前記特典情報取得手段で取得された前記特典情報を前記電子機器に送信する特典情報送信手段と、
を備えることを特徴とするサーバ。
【請求項９】
電子機器が実行する特典情報提供方法であって、
日時、時間及び場所の少なくともいずれかに関連するユーザの履歴情報に基づいて、ユーザの健康状態に影響を及ぼす要因情報を取得する要因情報取得ステップと、
前記要因情報取得ステップにおいて取得された前記要因情報に基づいて、ユーザにとって注意を要するリスクに関連する特典情報を提供する特典情報提供ステップと、
を含むことを特徴とする特典情報提供方法。
【請求項１０】
電子機器と、前記電子機器とネットワークを介して通信可能に構成されたサーバとを含む特典情報提供システムにおけるサーバが実行する特典情報提供方法であって、
前記電子機器から、日時、時間及び場所の少なくともいずれかに関連するユーザの履歴情報に基づく、ユーザの健康状態に影響を及ぼす要因情報を含む特典情報提供要求を取得する要求取得ステップと、
前記要求取得ステップにおいて取得された前記要因情報に基づいて、ユーザにとって注意を要するリスクに関連する特典情報を取得する特典情報取得ステップと、
前記特典情報取得ステップで取得された前記特典情報を前記電子機器に送信する特典情報送信ステップと、
を含むことを特徴とする特典情報提供方法。
【請求項１１】
コンピュータに、
日時、時間及び場所の少なくともいずれかに関連するユーザの履歴情報に基づいて、ユーザの健康状態に影響を及ぼす要因情報を取得する要因情報取得機能と、
前記要因情報取得機能によって取得された前記要因情報に基づいて、ユーザにとって注意を要するリスクに関連する特典情報を提供する特典情報提供機能と、
を実現させることを特徴とするプログラム。
【請求項１２】
電子機器と、前記電子機器とネットワークを介して通信可能に構成されたサーバとを含む特典情報提供システムにおけるサーバを構成するコンピュータに、
前記電子機器から、日時、時間及び場所の少なくともいずれかに関連するユーザの履歴情報に基づく、ユーザの健康状態に影響を及ぼす要因情報を含む特典情報提供要求を取得する要求取得機能と、
前記要求取得機能によって取得された前記要因情報に基づいて、ユーザにとって注意を要するリスクに関連する特典情報を取得する特典情報取得機能と、
前記特典情報取得機能で取得された前記特典情報を前記電子機器に送信する特典情報送信機能と、
を実現させることを特徴とするプログラム。
【発明の詳細な説明】
【技術分野】
【０００１】
本発明は、電子機器、サーバ、特典情報提供方法及びプログラムに関する。
【背景技術】
【０００２】
従来、ユーザの日常的な行動を判定し、その判定結果に応じて、ユーザに利益を与える技術が知られている。
例えば、特許文献１には、ユーザにおける運動、薬の服用、食物の摂取等に関する情報を取得し、取得された情報に基づいて、ユーザに適した保険料を算出する技術が記載されている。
【先行技術文献】
【特許文献】
【０００３】
【特許文献１】特開２００５−１４１７８１号公報
【発明の概要】
【発明が解決しようとする課題】
【０００４】
しかしながら、従来の技術においては、ユーザの日常的な行動として取得する情報が限られている。
即ち、従来の技術においては、ユーザの日常に関する情報に基づいて、ユーザに利益となる情報を適切に提供することが困難であった。
【０００５】
本発明は、このような状況に鑑みてなされたものであり、ユーザの日常に関する情報に基づいて、ユーザに利益となる情報をより適切に提供することを目的とする。
【課題を解決するための手段】
【０００６】
上記目的を達成するため、本発明の一態様の電子機器は、
日時、時間及び場所の少なくともいずれかに関連するユーザの履歴情報に基づいて、ユーザの健康状態に影響を及ぼす要因情報を取得する要因情報取得手段と、
前記要因情報取得手段によって取得された前記要因情報に基づいて、ユーザにとって注意を要するリスクに関連する特典情報を提供する特典情報提供手段と、
を備えることを特徴とする。
【発明の効果】
【０００７】
本発明によれば、ユーザの日常に関する情報に基づいて、ユーザに利益となる情報をより適切に提供することが可能となる。
【図面の簡単な説明】
【０００８】
【図１Ａ】本発明の電子機器の一実施形態としてのリスト端末の外観構成図である。
【図１Ｂ】本発明の電子機器の一実施形態としてのリスト端末のハードウェア構成を示すブロック図である。
【図２】図１のリスト端末の機能的構成のうち、特典情報提供処理を実行するための機能的構成を示す機能ブロック図である。
【図３】変換条件テーブルの一例を示す模式図である。
【図４】図２の機能的構成を有する図１のリスト端末が実行する特典情報提供処理の流れを説明するフローチャートである。
【図５】本発明の第２実施形態に係る特典情報提供システムのシステム構成を示す模式図である。
【図６】特典情報提供サーバのハードウェア構成を示すブロック図である。
【図７】本実施形態に係るリスト端末の機能的構成のうち、端末側特典情報提供処理を実行するための機能的構成を示す機能ブロック図である。
【図８】図６の特典情報提供サーバの機能的構成のうち、サーバ側特典情報提供処理を実行するための機能的構成を示す機能ブロック図である。
【図９】本実施形態に係るリスト端末が実行する端末側特典情報提供処理の流れを説明するフローチャートである。
【図１０】特典情報提供サーバが実行するサーバ側特典情報提供処理の流れを説明するフローチャートである。
【発明を実施するための形態】
【０００９】
以下、本発明の実施形態について、図面を用いて説明する。
【００１０】
［第１実施形態］
本実施形態に係る電子機器は、ユーザの種々の生活履歴から、ユーザの健康状態に影響を及ぼす情報（以下、「要因情報」と称する。）を広く取得する。なお、生活履歴とは、ユーザの移動履歴（交通機関での移動等）、行動履歴（日常的な行動等）、活動履歴（社会活動等）、運動履歴（スポーツ等）、環境履歴（ユーザ周辺の環境変化等）といった、ユーザの生活に関係する各種履歴を含むものである。本実施形態において、要因情報は、センサの出力やユーザが自ら入力するスケジュール等のアクティビティのデータから集約され、ユーザが日常的に行う行動パターンや、特別な行動等が把握される。このように取得される要因情報には、ユーザが意識的に行っていること（「スポーツ」や「食事」等）に加え、無意識に行っていること（「１日の着席時間が合計で１０時間を超えている」等）、あるいは、ユーザが受動していること（「特定のリスクの高い地域に滞在している」、「周辺環境の温度変化が大きい」等）が含まれている。
【００１１】
そして、電子機器は、ユーザについて取得した要因情報を所定のアプリケーションプログラムによって、ユーザの各種リスクを示す情報に変換する。即ち、所定のアプリケーションには、種々の要因情報が各種リスクに与える影響の指標（ここではスコアとする）を算出する方法が定義されている。所定のアプリケーションは、要因情報が入力されると、要因情報が各種リスクに与える影響のスコアを算出し、ユーザにとって注意すべきリスクを特定して、ユーザに報知するための情報（アドバイスを表す特典情報）を出力する。なお、特典情報としては、リスクを報知する情報の他、ユーザが適切な行動を取っている場合に、その行動を奨励する情報を含めることもできる。即ち、特典情報は、ユーザに対して、要因情報に関連する利益を与える情報（利益情報）として機能する。
これにより、ユーザの日常的な生活における要因情報を広く取得し、ユーザの日常に関する情報を反映させて、ユーザに利益となる情報をより適切に提供することが可能となる。
以下、具体的な実施形態について説明する。
【００１２】
［ハードウェア構成］
図１Ａ及び図１Ｂは、本発明の電子機器の一実施形態としてのリスト端末１の構成を示す図であり、図１Ａは外観構成図、図１Ｂは、ハードウェア構成を示すブロック図である。
図１Ａに示すように、リスト端末１は、腕時計型に構成され、スマートフォンに類する機能を備えた電子機器である。
また、図１Ｂに示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒｅａｄ  Ａｃｃｅｓｓ  Ｍｅｍｏｒｙ）１７と、ＧＰＳアンテナ１８と、ＧＰＳモジュール１９と、無線通信用アンテナ２０と、無線通信モジュール２１と、ドライブ２２とを備えている。
【００１３】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、特典情報提供処理（後述）のためのプログラム等、ＲＯＭ１６に記録されているプログラムに従って各種の処理を実行する。
センサユニット１２は、生体センサ（脈拍センサや血圧センサ等）、地磁気センサ、３軸加速度センサ、３軸角速度センサ、湿度センサ、気圧センサあるいは気温センサ等の各種センサを備えている。
【００１４】
入力部１３は、各種ボタンやＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。
時計回路１５は、システムクロックあるいは発振器により生成される信号から時刻信号を生成し、現在時刻を出力する。
【００１５】
ＲＯＭ１６は、書き換え可能な不揮発性の半導体メモリ等によって構成され、制御部１１で実行される制御プログラム等の情報を格納する。例えば、ＲＯＭ１６は、後述する特典情報提供処理のためのプログラムを格納する。本実施形態において、この特典情報提供処理のためのプログラムは、特典情報の提供に関して正規の権限を有する主体によって提供されるものである。したがって、特典情報提供処理のためのプログラムが実行されることによって提供される特典情報は、真正性を有するものとして取り扱うことができる。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１６】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
【００１７】
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。本実施形態において、無線通信モジュール２１は、Ｂｌｕｅｔｏｏｔｈ  ｌｏｗ  ｅｎｅｒｇｙ／Ｂｌｕｅｔｏｏｔｈ  ＬＥ（商標）（以下、「ＢＬＥ」という。）の通信規格に基づく通信や、Ｗｉ−Ｆｉ（Ｗｉｒｅｌｅｓｓ  Ｆｉｄｅｌｉｔｙ）の通信規格に基づいた通信を行う。また、無線通信モジュール２１は、ＢＬＥのビーコンによって他のリスト端末１と通信を行うことができる。
ドライブ２２には、磁気ディスク、光ディスク、光磁気ディスク、あるいは半導体メモリ等よりなる、リムーバブルメディア３１が適宜装着される。リムーバブルメディア３１は、画像のデータ等の各種データを記憶することができる。
【００１８】
［機能的構成］
次に、リスト端末１の機能的構成のうち、特典情報提供処理を実行するための機能的構成について説明する。
図２は、図１のリスト端末１の機能的構成のうち、特典情報提供処理を実行するための機能的構成を示す機能ブロック図である。
特典情報提供処理とは、ユーザの健康状態に影響を及ぼす各種要因情報を取得し、取得された要因情報が各種リスクに与える影響を示すスコアを算出して、ユーザにとって注意すべきリスクを特定し、ユーザに対するアドバイスを表す特典情報を出力する一連の処理である。
【００１９】
特典情報提供処理が実行される場合には、図２に示すように、制御部１１において、位置取得部５１と、センサ情報取得部５２と、アクティビティ情報取得部５３と、評価値算出部５４と、特典情報提供部５５とが機能する。また、ＲＯＭ１６の一領域には、変換条件記憶部７１が設けられる。
【００２０】
変換条件記憶部７１は、各種要因情報と、各要因情報が各種リスクに与える影響の指標（スコア）を算出する方法（要因情報からスコアに変換するための変換条件）が対応付けられた変換条件テーブルを記憶している。
図３は、変換条件テーブルの一例を示す模式図である。
図３に示すように、変換条件テーブルには、各種要因情報（位置情報Ｐ１，センサ情報Ｄ１，Ｄ２・・・，アクティビティＡ１，Ａ２・・・）について、その要因情報が各種リスク（リスクＲ１，Ｒ２・・・）に与える影響を算出する方法（関数Ｆ（ｍ，ｎ）（ｍ，ｎは自然数））が個別に定義されている。
【００２１】
例えば、測位位置に基づく要因情報については、測位位置が特定の位置範囲に属している継続時間（または特定の位置範囲に属した頻度等）と、測位位置についてリスクの種類毎に設定された換算係数とを乗算することにより、スコア（評価値）を算出することができる。
また、センサの出力に基づく要因情報については、センサの出力値と、出力値の継続時間（または発生頻度等）と、そのセンサの出力値についてリスクの種類毎に設定された換算係数とを乗算することにより、スコア（評価値）を算出することができる。
また、アクティビティのデータに基づく要因情報については、アクティビティの種類に応じた固有値と、そのアクティビティの種類についてリスクの種類毎に設定された換算係数とを乗算することにより、スコアを算出することができる。アクティビティの種類に応じた固有値は、アクティビティ全体（一連の行動）に対して固有値を設定おくことや、アクティビティの種類に応じた単位時間当たりの値（基準値）を設定しておき、継続時間と基準値とを乗算することで固有値とすること等が可能である。
【００２２】
なお、換算係数は、センサの出力値毎あるいはアクティビティの種類毎に、リスクの種類に応じて、個別に設定された係数であり、例えば、実際に発生した事象を分析した統計的な情報に基づいて、具体的な値を設定することができる。また、スコアを算出する場合、要因情報の種類に応じて、その要因情報の発生日時をスコアの算出条件に含めることとしてもよい。例えば、特定の地域において、特定の時期に、河川の氾濫等の自然災害のリスクが高まるという統計的なデータが存在する場合に、ユーザの移動履歴が、その特定の地域及び特定の時期に該当するときには、「災害・事故の発生」というリスクに対するスコアを上昇させるように関数Ｆを定義することができる。
【００２３】
図２に戻り、位置取得部５１は、リスト端末１の測位位置を要因情報として取得する。
具体的には、位置取得部５１は、ＧＰＳモジュール１９から取得した位置情報に基づいて、リスト端末１の測位位置を要因情報として取得する。なお、位置取得部５１は、リスト端末１の測位位置（要因情報）をＲＯＭ１６に蓄積して記憶する。
センサ情報取得部５２は、センサユニット１２に備えられた各種センサの出力結果を要因情報として取得する。例えば、センサ情報取得部５２は、生体センサによって出力されるリスト端末１のユーザの生体情報や、３軸加速度センサ等によって出力されるリスト端末１のユーザの運動情報を要因情報として取得する。なお、センサ情報取得部５２は、取得した各種センサの出力結果（要因情報）をＲＯＭ１６に蓄積して記憶する。
【００２４】
アクティビティ情報取得部５３は、ユーザが自ら入力するスケジュール等のアクティビティのデータを取得する。例えば、アクティビティ情報取得部５３は、ユーザのスケジュールのデータを参照し、ユーザが、オフィスでデスクワークを行っていること、建物に頻繁に出入りしていること、直射日光を長時間浴びていること、地域活動に参加していること等、ユーザが行う各種アクティビティのデータを取得する。このとき、アクティビティ情報取得部５３は、ユーザの行動解析を行うことにより、ユーザが行っているアクティビティを判定することとしてもよい。そして、アクティビティ情報取得部５３は、取得したアクティビティのデータに基づいて、ユーザの健康状態に影響を及ぼす要因情報を取得する。このとき、アクティビティ情報取得部５３は、ユーザの１つのスケジュール等のデータから１つの要因情報を取得することに限らず、同一のスケジュールを複数の観点で捉えた場合の要因情報を取得する。例えば、「地域Ｘに１週間、出張で滞在する」というスケジュールが設定されている場合、アクティビティ情報取得部５３は、「地域Ｘへ交通機関で移動する」、「外食が１週間続く」、「地域Ｘの地域特性が１週間影響する」といった要因情報を取得する。なお、地域Ｘが統計的に高血圧のリスクが高い地域である場合、「地域Ｘの地域特性が１週間影響する」という要因情報は、高血圧のリスクに対するスコアを上昇させる方向に作用する。なお、アクティビティ情報取得部５３は、取得したアクティビティのデータに基づいて取得されたユーザの健康状態に影響を及ぼす要因情報をＲＯＭ１６に蓄積して記憶する。
【００２５】
評価値算出部５４は、位置取得部５１、センサ情報取得部５２及びアクティビティ情報取得部５３によって取得された要因情報に基づいて、変換条件テーブルを参照し、各種要因情報が各種リスクに与える影響を示すスコアを算出する。
【００２６】
特典情報提供部５５は、各種リスクについて、評価値算出部５４によって算出されたスコアに基づいて、ユーザにおけるリスクの高さを判定し、ユーザにとって注意すべきリスクを特定する。そして、特典情報提供部５５は、特定したリスクをユーザに報知するための特典情報をＬＣＤ１４に出力する。一例として、特典情報提供部５５は、ユーザにおけるリスクの高さを判定する場合、各種リスクについて算出されたユーザのスコアの総合値を、予め設定されている閾値と比較し、ユーザのスコアの総合値が閾値を超えているか否かを判定する。ユーザのスコアの総合値は、取得されている要因情報の種類等に応じて、適宜、正規化して算出することとしてもよい。また、特典情報提供部５５は、特典情報として、リスクを低減するためのアドバイスを含めることができる。例えば、特典情報提供部５５は、要因情報において、スコアの上昇に大きく寄与しているものを抑制するためのアドバイス（「着席時間が長過ぎるようです。腰痛のリスクを低減するために、３０分に１回は立ち上がりましょう。」というメッセージ等）を含めることができる。
【００２７】
また、特典情報提供部５５は、各種リスクについて、評価値算出部５４によって算出されたスコアに基づいて、ユーザが適切な行動を取っているか否かを判定する。そして、特典情報提供部５５は、評価値算出部５４によって算出されたスコアに基づいて、特定のリスクについて、ユーザが適切な行動を取っていると判定された場合に、その行動を奨励する情報を特典情報に含めて出力する。一例として、ユーザの日常生活における運動履歴が健康に寄与する（健康のための特定条件に適合する）ものである場合、特典情報提供部５５は、ユーザの運動習慣を推奨する情報を特典情報として出力する。このとき、特典情報提供処理のためのアプリケーションプログラムが保険会社から提供されたものである場合、保険会社からユーザに対して提供される特典情報として、「運動習慣が健康に寄与する条件に適合するため、次回の保険料が１０％割引になります！」といった実体的な特典を伴う情報を提供することができる。
【００２８】
［動作］
次に、リスト端末１の動作を説明する。
図４は、図２の機能的構成を有する図１のリスト端末１が実行する特典情報提供処理の流れを説明するフローチャートである。
特典情報提供処理は、ユーザによる入力部１３への特典情報提供処理開始の操作により開始される。
【００２９】
ステップＳ１において、位置取得部５１は、ＧＰＳモジュール１９から取得した位置情報に基づいて、リスト端末１の測位位置を要因情報として取得する。
ステップＳ２において、センサ情報取得部５２は、センサユニット１２に備えられた各種センサの出力結果を要因情報として取得する。
ステップＳ３において、アクティビティ情報取得部５３は、ユーザが自ら入力するスケジュール等のアクティビティのデータを取得し、取得したアクティビティのデータに基づいて、ユーザの健康状態に影響を及ぼす要因情報を取得する。
【００３０】
ステップＳ４において、評価値算出部５４は、特典情報の出力タイミングであるか否かの判定を行う。なお、特典情報の出力タイミングであるか否かは、例えば、予め設定された期間（１日、１週間あるいは１ヶ月等）が経過しているか否か、あるいは、ユーザによって特典情報の出力が指示されたか否か等によって判定することができる。
特典情報の出力タイミングである場合、ステップＳ４においてＹＥＳと判定されて、処理はステップＳ５に移行する。
一方、特典情報の出力タイミングでない場合、ステップＳ４においてＮＯと判定されて、処理はステップＳ１に移行する。
【００３１】
ステップＳ５において、評価値算出部５４は、位置取得部５１、センサ情報取得部５２及びアクティビティ情報取得部５３によって取得された要因情報に基づいて、変換条件テーブルを参照し、各種要因情報が各種リスクに与える影響を示すスコアを算出する。
ステップＳ６において、特典情報提供部５５は、各種リスクについて、評価値算出部５４によって算出されたスコアに基づいて、ユーザにおけるリスクの高さを判定し、ユーザにとって注意すべきリスクを特定する。
ステップＳ７において、特典情報提供部５５は、各種リスクについて、評価値算出部５４によって算出されたスコアに基づいて、ユーザが適切な行動を取っているか否かの判定を行う。
【００３２】
ユーザが適切な行動を取っている場合、ステップＳ７においてＹＥＳと判定されて、処理はステップＳ８に移行する。
一方、ユーザが適切な行動を取っていない場合、ステップＳ７においてＮＯと判定されて、処理はステップＳ９に移行する。
ステップＳ８において、特典情報提供部５５は、特定したリスク及びユーザの習慣を推奨する情報をユーザに報知するための特典情報をＬＣＤ１４に出力する。
ステップＳ８の後、処理はステップＳ１０に移行する。
ステップＳ９において、特典情報提供部５５は、特定したリスクをユーザに報知するための特典情報をＬＣＤ１４に出力する。
【００３３】
ステップＳ１０において、特典情報提供部５５は、特典情報提供処理の終了が指示されたか否かの判定を行う。
特典情報提供処理の終了が指示されていない場合、ステップＳ１０においてＮＯと判定されて、処理はステップＳ１に移行する。
一方、特典情報提供処理の終了が指示された場合、ステップＳ１０においてＹＥＳと判定されて、特典情報提供処理は終了する。
【００３４】
以上のように、本実施形態に係るリスト端末１は、測位位置あるいはセンサの出力やユーザが自ら入力するスケジュール等のアクティビティのデータに基づいて、要因情報を広く取得する。そして、リスト端末１は、ユーザについて取得した要因情報を所定のアプリケーションプログラムによって、ユーザの各種リスクを示す情報に変換する。さらに、リスト端末１は、要因情報が各種リスクに与える影響のスコアを算出し、ユーザにとって注意すべきリスクを特定して、ユーザに報知するための情報（アドバイスを表す特典情報）を出力する。このとき、リスト端末１は、ユーザが適切な行動を取っている場合に、その行動を推奨する情報を特典情報に含めて出力する。
従来の技術においては、ユーザの日常的な行動として取得する情報が限られていると共に、それらの情報を取得することが容易ではない。また、ユーザに対して利益を与える上で、ユーザの日常的な行動を判定するのみでは、判定要素として充分ではない場合がある。
これに対し、本実施形態に係るリスト端末１によれば、ユーザの日常的な生活における要因情報を広く取得し、ユーザの日常に関する情報を反映させて、ユーザに利益となる情報をより適切に提供することが可能となる。
【００３５】
例えば、特定の地域において、特定の時期に、河川の氾濫等の自然災害のリスクが高まるという統計的なデータが存在する場合に、ユーザの移動履歴が、その特定の地域及び特定の時期に該当すると、リスト端末１は、特典情報として、災害・事故の発生のリスクが高まっていること、及び、その要因情報を抑制するためのアドバイス（「○○地域は、現在、自然災害のリスクが高まっています。できる限り、○○地域への接近は避けましょう。」というメッセージ等）を出力することができる。
【００３６】
また、例えば、ユーザが、気密性の高いビルに頻繁に出入りしたり、エレベータを頻繁に利用したりすること等により、センサ情報から把握される気圧の変化が極端に大きくなった場合（設定されているスコアの閾値を超えた場合）、リスト端末１は、特典情報として、周辺環境の気圧の変動が大きく、頭痛や関節痛等のリスクが高くなっていること、及び、その要因情報を抑制するためのアドバイス（「気密性の高い建物や部屋への出入り等、気圧変化が大きくなる行動には注意しましょう。」というメッセージ等）を出力することができる。
【００３７】
また、例えば、ユーザが１日に行った運動の合計が６０分以上となっている日が当月において２０日以上継続している場合、リスト端末１は、特典情報として、現在の運動状況が適切なものであること、及び、実体的な特典を伴う情報（「運動習慣が健康に寄与する条件に適合するため、次回の保険料が１０％割引になります！」というメッセージ等）を出力することができる。なお、ユーザが１日に行った運動の合計時間は、リスト端末１が取得する要因情報において、階段の昇降、建物内の歩行、あるいは、短時間の駆け足等、ユーザが意識していない運動の時間も累積して算出することができる。
【００３８】
［第２実施形態］
次に、本発明の第２実施形態について説明する。
本実施形態では、第１実施形態において評価値算出部５４及び特典情報提供部５５で行われる主な処理を、所定のサーバによって行うものである。
［システム構成］
図５は、本発明の第２実施形態に係る特典情報提供システムＳのシステム構成を示す模式図である。
図５に示すように、特典情報提供システムＳは、リスト端末１と、特典情報提供サーバ１００とを含んで構成され、リスト端末１と特典情報提供サーバ１００とは、ネットワーク２００を介して通信可能に構成されている。
【００３９】
［ハードウェア構成］
図５において、リスト端末１のハードウェア構成は、第１実施形態の図１Ａ及び図１Ｂに示す構成と同様である。
図６は、特典情報提供サーバ１００のハードウェア構成を示すブロック図である。
図６に示すように、特典情報提供サーバ１００は、ＣＰＵ１１１と、ＲＯＭ１１２と、ＲＡＭ１１３と、バス１１４と、入出力インターフェース１１５と、入力部１１６と、出力部１１７と、記憶部１１８と、通信部１１９と、ドライブ１２０と、を備えている。
ＣＰＵ１１１は、ＲＯＭ１１２に記録されているプログラム、または、記憶部１１８からＲＡＭ１１３にロードされたプログラムに従って各種の処理を実行する。
ＲＡＭ１１３には、ＣＰＵ１１１が各種の処理を実行する上において必要なデータ等も適宜記憶される。
【００４０】
ＣＰＵ１１１、ＲＯＭ１１２及びＲＡＭ１１３は、バス１１４を介して相互に接続されている。このバス１１４は、入出力インターフェース１１５に接続されている。入出力インターフェース１１５には、入力部１１６、出力部１１７、記憶部１１８、通信部１１９及びドライブ１２０が接続されている。
【００４１】
入力部１１６は、各種ボタン等で構成され、ユーザの指示操作に応じて各種情報を入力する。
出力部１１７は、ディスプレイやスピーカ等で構成され、画像や音声を出力する。
記憶部１１８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１１９は、インターネットを含むネットワークを介して他の装置との間で行う無線または有線による通信を制御する。
【００４２】
ドライブ１２０には、磁気ディスク、光ディスク、光磁気ディスク、あるいは半導体メモリ等よりなる、図示しないリムーバブルメディアが適宜装着される。ドライブ１２０によってリムーバブルメディアから読み出されたプログラムは、必要に応じて記憶部１１８にインストールされる。また、リムーバブルメディアは、記憶部１１８に記憶されている各種データも、記憶部１１８と同様に記憶することができる。
【００４３】
［機能的構成］
次に、特典情報提供システムＳの機能的構成について説明する。
初めに、リスト端末１の機能的構成について説明する。
図７は、本実施形態に係るリスト端末１の機能的構成のうち、端末側特典情報提供処理を実行するための機能的構成を示す機能ブロック図である。
端末側特典情報提供処理とは、ユーザの健康状態に影響を及ぼす各種要因情報を取得し、リスト端末１の位置情報と共に、取得された要因情報を特典情報提供サーバ１００に送信することにより、特典情報提供サーバ１００に、ユーザに対するアドバイスを表す特典情報の送信を要求し、特典情報提供サーバ１００から送信された特典情報を出力する一連の処理である。
【００４４】
端末側特典情報提処理が実行される場合には、図８に示すように、制御部１１において、位置取得部５１と、センサ情報取得部５２と、アクティビティ情報取得部５３と、特典情報提供部２５４とが機能する。
これらのうち、位置取得部５１、センサ情報取得部５２及びアクティビティ情報取得部５３の機能的構成は、図２に示す各部の構成と同様である。
特典情報提供部２５４は、位置取得部５１、センサ情報取得部５２及びアクティビティ情報取得部５３によって取得された要因情報を特典情報提供サーバ１００に送信することにより、ユーザに対するアドバイスを表す特典情報の送信を要求する。そして、特典情報提供部２５４は、特典情報提供サーバ１００から送信された特典情報を受信して出力する。
【００４５】
次に、特典情報提供サーバ１００の機能的構成について説明する。
図８は、図６の特典情報提供サーバ１００の機能的構成のうち、サーバ側特典情報提供処理を実行するための機能的構成を示す機能ブロック図である。
サーバ側特典情報提供処理とは、リスト端末１から特典情報の送信の要求が行われた場合に、位置取得部５１、センサ情報取得部５２及びアクティビティ情報取得部５３によって取得された要因情報に基づいて、ユーザにとって注意すべきリスクを特定し、特定したリスクをユーザに報知するための特典情報を送信する一連の処理である。
【００４６】
サーバ側特典情報提供処理が実行される場合には、図９に示すように、ＣＰＵ１１１において、要求取得部１５１と、評価値算出部１５２と、特典情報提供部１５３と、特典情報送信部１５４とが機能する。また、記憶部１１８の一領域には、変換条件記憶部１７１が設けられる。
これらのうち、変換条件記憶部１７１の構成は、図２における変換条件記憶部７１の構成と同様である。
【００４７】
要求取得部１５１は、リスト端末１から、各種要因情報と共に、特典情報の送信要求とを受信する。なお、リスト端末１の各種要因情報は、リスト端末１における所定期間分の蓄積データである。
評価値算出部１５２は、リスト端末１から送信された各種要因情報に基づいて、変換条件テーブルを参照し、各種要因情報が各種リスクに与える影響を示すスコアを算出する。
【００４８】
特典情報提供部１５３は、各種リスクについて、評価値算出部１５２によって算出されたスコアに基づいて、ユーザにおけるリスクの高さを判定し、ユーザにとって注意すべきリスクを特定する。そして、特典情報提供部１５３は、特定したリスクをユーザに報知するための特典情報を特典情報送信部１５４に出力する。一例として、特典情報提供部５５は、ユーザにおけるリスクの高さを判定する場合、各種リスクについて算出されたユーザのスコアの総合値を、予め設定されている閾値と比較し、ユーザのスコアの総合値が閾値を超えているか否かを判定する。ユーザのスコアの総合値は、取得されている要因情報の種類等に応じて、適宜、正規化して算出することとしてもよい。また、特典情報提供部１５３は、特典情報として、リスクを低減するためのアドバイスを含めることができる。例えば、特典情報提供部１５３は、要因情報において、スコアの上昇に大きく寄与しているものを抑制するためのアドバイス（「着席時間が長過ぎるため、腰痛のリスクを低減するために、３０分に１回は立ち上がりましょう」というメッセージ等）を含めることができる。
【００４９】
また、特典情報提供部１５３は、各種リスクについて、評価値算出部１５２によって算出されたスコアに基づいて、ユーザが適切な行動を取っているか否かを判定する。そして、特典情報提供部１５３は、評価値算出部１５２によって算出されたスコアに基づいて、特定のリスクについて、ユーザが適切な行動を取っていると判定された場合に、その行動を推奨する情報を特典情報に含めて出力する。一例として、ユーザの日常生活における運動履歴が健康に寄与するものである場合、特典情報提供部１５３は、ユーザの運動習慣を推奨する情報を特典情報として出力する。このとき、特典情報提供処理のためのアプリケーションプログラムが保険会社から提供されたものである場合、保険会社からユーザに対して提供される特典情報として、「運動習慣が健康に寄与する条件に適合するため、次回の保険料が１０％割引になります！」といった実体的な特典を伴う情報を提供することができる。
特典情報送信部１５４は、特典情報提供部１５３によって出力された特典情報をリスト端末１に送信する。
【００５０】
［動作］
次に、特典情報提供システムＳの動作を説明する。
初めに、リスト端末１の動作を説明する。
図９は、本実施形態に係るリスト端末１が実行する端末側特典情報提供処理の流れを説明するフローチャートである。
端末側特典情報提供処理は、ユーザによる入力部１３への端末側特典情報提供処理開始の操作により開始される。
【００５１】
ステップＳ２１において、位置取得部５１は、ＧＰＳモジュール１９から取得した位置情報に基づいて、リスト端末１の測位位置を要因情報として取得する。
ステップＳ２２において、センサ情報取得部５２は、センサユニット１２に備えられた各種センサの出力結果を要因情報として取得する。
ステップＳ２３において、アクティビティ情報取得部５３は、ユーザが自ら入力するスケジュール等のアクティビティのデータを取得し、取得したアクティビティのデータに基づいて、ユーザの健康状態に影響を及ぼす要因情報を取得する。
【００５２】
ステップＳ２４において、特典情報提供部２５４は、特典情報の出力タイミングであるか否かの判定を行う。なお、特典情報の出力タイミングであるか否かは、例えば、予め設定された期間（１日、１週間あるいは１ヶ月等）が経過しているか否か、あるいは、ユーザによって特典情報の出力が指示されたか否か等によって判定することができる。
特典情報の出力タイミングである場合、ステップＳ２４においてＹＥＳと判定されて、処理はステップＳ２５に移行する。
一方、特典情報の出力タイミングでない場合、ステップＳ２４においてＮＯと判定されて、処理はステップＳ２１に移行する。
【００５３】
ステップＳ２５において、位置取得部５１、センサ情報取得部５２及びアクティビティ情報取得部５３によって取得された要因情報を特典情報提供サーバ１００に送信することにより、ユーザに対するアドバイスを表す特典情報の送信を要求する。
ステップＳ２６において、特典情報提供部２５４は、特典情報提供サーバ１００から送信された特典情報を受信して出力する。
ステップＳ２６の後、端末側特典情報提供処理は終了する。
【００５４】
次に、特典情報提供サーバの動作を説明する。
図１０は、特典情報提供サーバ１００が実行するサーバ側特典情報提供処理の流れを説明するフローチャートである。
サーバ側特典情報提供処理は、特典情報提供サーバ１００の起動と共に開始され、繰り返し実行される。
ステップＳ３１において、要求取得部１５１は、リスト端末１から、各種要因情報と共に、特典情報の送信要求とを受信する。
【００５５】
ステップＳ３２において、評価値算出部１５２は、リスト端末１から送信された各種要因情報に基づいて、変換条件テーブルを参照し、各種要因情報が各種リスクに与える影響を示すスコアを算出する。
ステップＳ３３において、特典情報提供部１５３は、各種リスクについて、評価値算出部１５２によって算出されたスコアに基づいて、ユーザにおけるリスクの高さを判定し、ユーザにとって注意すべきリスクを特定する。
【００５６】
ステップＳ３４において、特典情報提供部１５３は、各種リスクについて、評価値算出部１５２によって算出されたスコアに基づいて、ユーザが適切な行動を取っているか否かの判定を行う。
ユーザが適切な行動を取っている場合、ステップＳ３４においてＹＥＳと判定されて、処理はステップＳ３５に移行する。
一方、ユーザが適切な行動を取っていない場合、ステップＳ３４においてＮＯと判定されて、処理はステップＳ３６に移行する。
【００５７】
ステップＳ３５において、特典情報提供部１５３は、特定したリスク及びユーザの習慣を推奨する情報をユーザに報知するための特典情報を特典情報送信部１５４に出力する。
ステップＳ３５の後、処理はステップＳ３７に移行する。
ステップＳ３６において、特典情報提供部１５３は、特定したリスクをユーザに報知するための特典情報を特典情報送信部１５４に出力する。
ステップＳ３７において、特典情報送信部１５４は、特典情報提供部１５３によって出力された特典情報をリスト端末１に送信する。
ステップＳ３７の後、サーバ側特典情報提供処理が繰り返される。
【００５８】
以上のように、本実施形態に係る特典情報提供システムＳは、リスト端末１から送信された各種要因情報に基づいて、特典情報提供サーバ１００が、ユーザにとって注意すべきリスクを特定し、ユーザに報知するための特典情報を送信する。
したがって、リスト端末１において取得されたユーザの日常に関する情報を反映させて、特典情報提供サーバ１００から、ユーザに利益となる情報をより適切に提供することが可能となる。
【００５９】
以上のように構成されるリスト端末１は、位置取得部５１、センサ情報取得部５２及びアクティビティ情報取得部５３と、特典情報提供部５５とを備える。
位置取得部５１、センサ情報取得部５２及びアクティビティ情報取得部５３は、日時、時間（時間の長さ）及び場所の少なくともいずれかに関連するユーザの履歴情報に基づいて、ユーザの健康状態に影響を及ぼす要因情報を取得する。
特典情報提供部５５は、センサ情報取得部５２及びアクティビティ情報取得部５３によって取得された要因情報に基づいて、ユーザにとって注意を要するリスクに関連する特典情報を提供する。
これにより、ユーザの日常的な生活における要因情報を広く取得し、ユーザの日常に関する情報を反映させて、ユーザに利益となる情報をより適切に提供することが可能となる。
【００６０】
また、リスト端末１は、評価値算出部５４を備える。
評価値算出部５４は、位置取得部５１、センサ情報取得部５２及びアクティビティ情報取得部５３によって取得された要因情報がリスクに与える影響を示す評価値をリスクの種類毎に算出する。
特典情報提供部５５は、評価値算出部５４によって算出された評価値に基づいて、リスクの種類毎にリスクの高さを判定し、ユーザにとって注意を要するリスクを特定する。
これにより、リスクの種類毎に、要因情報を適切に反映させてリスクの高さを判定することができるため、取得された要因情報から各種リスクをより正確に把握することが可能となる。
【００６１】
特典情報提供部５５は、要因情報における日時、時間及び場所のうち、少なくとも２つがリスクに与える影響をそれぞれ反映させて、ユーザにとって注意を要するリスクを特定する。
これにより、要因情報が関連する日時、時間及び場所のそれぞれがリスクに与える個別の影響を適確に反映させて、ユーザにとって注意を要するリスクを特定することが可能となる。
【００６２】
要因情報には、ユーザが滞在した地域に依存する要因情報が含まれる。
これにより、リスクの発生に地域差がある場合、あるいは、特定の地域において特定のリスクが発生する場合等において、ユーザに対して間接的に影響する可能性のあるリスクを適切に特定することが可能となる。
【００６３】
要因情報には、ユーザ周辺の環境に依存する要因情報が含まれる。
これにより、ユーザ自身の主体的な要因以外の環境的な要因によってリスクが発生する場合等において、ユーザに対して間接的に影響する可能性のあるリスクを適切に特定することが可能となる。
【００６４】
特典情報提供部５５は、ユーザにとって注意を要するリスクについて、要因情報を抑制するためのアドバイス情報を含む特典情報を提供する。
これにより、ユーザにとって注意を要するリスクを低減するための適確なアドバイス情報を提供することができる。
【００６５】
特典情報提供部５５は、位置取得部５１、センサ情報取得部５２及びアクティビティ情報取得部５３によって取得された要因情報に基づいて、ユーザの履歴情報が健康に対して適切であると判定される特定条件に適合しているか否かを判定し、ユーザの履歴情報が特定条件に適合している場合、ユーザに対して、保険に関する利益を付与するための特典情報を提供する。
これにより、ユーザに対して、健康のために適切な行動を促すことが可能となる。また、より多くのユーザにとって要因情報を取得する動機が高くなり、保険会社等にとって、多数のユーザの要因情報を容易に取得することが可能となる。
【００６６】
また、特典情報提供システムＳは、リスト端末１と、特典情報提供サーバ１００とを含む。
特典情報提供サーバ１００は、要求取得部１５１と、特典情報提供部１５３と、特典情報送信部１５４とを備える。
要求取得部１５１は、リスト端末１から、日時、時間及び場所の少なくともいずれかに関連するユーザの履歴情報に基づく、ユーザの健康状態に影響を及ぼす要因情報を含む特典情報提供要求を取得する。
特典情報提供部１５３は、要求取得部１５１によって取得された要因情報に基づいて、ユーザにとって注意を要するリスクに関連する特典情報を取得する。
特典情報送信部１５４は、特典情報提供部１５３で取得された特典情報をリスト端末１に送信する。
これにより、ユーザの日常的な生活における要因情報を広く取得し、ユーザの日常に関する情報を反映させて、ユーザに利益となる情報をより適切に提供することが可能となる。
【００６７】
なお、本発明は、上述の実施形態に限定されるものではなく、本発明の目的を達成できる範囲での変形、改良等は本発明に含まれるものである。
【００６８】
上述の実施形態では、特典情報として、ユーザにとって注意すべきリスク、リスクを低減するためのアドバイス情報、あるいは、保険会社からユーザに対して提供される特典情報（保険料の割引に関する情報等）を出力するものとしたが、これに限られない。
例えば、クーポン、プレゼント、あるいは、電子マネー等の利益をユーザに提供するための情報を特典情報として出力することとしてもよい。
【００６９】
また、上述の実施形態において、特典情報は、メッセージ等のテキストデータで出力するものとしたが、これに限られない。例えば、要因情報から特定されたリスクを地図上に表示したり、時系列の推移を表すグラフで表示したりすることができる。
また、上述の実施形態において、特定の地域におけるリスクとして、自然災害に関するリスクを例に挙げて説明したが、これに限られない。例えば、事故率の高さ、環境汚染、自然破壊等の人為的な災害に関するリスクを考慮することとしてもよい。
また、上述の実施形態において、リスクを特定するために算出されるスコアは、種々の方法で算出することが可能であり、例えば、以下のような算出方法とすることができる。
（１）掛け算型「スコア＝発生確率×影響の大きさ」あるいは「スコア＝暴露量（発生確率）×毒性（影響度）」
（２）足し算型「スコア＝発生確率（点数）＋影響の大きさ（点数）」
（３）散布図型「スコア＝発生確率と影響の大きさとを散布図としてプロットしたときの位置関係」
【００７０】
また、上述の実施形態では、本発明が適用されるリスト端末１は、腕時計型のスマートフォンに類する電子機器を例として説明したが、特にこれに限定されない。
例えば、本発明は、情報処理機能を有する電子機器一般に適用することができる。具体的には、例えば、本発明は、ノート型のパーソナルコンピュータ、ビデオカメラ、携帯型ナビゲーション装置、携帯電話機、スマートフォン、ポータブルゲーム機等に適用可能である。
【００７１】
上述した一連の処理は、ハードウェアにより実行させることもできるし、ソフトウェアにより実行させることもできる。
換言すると、図２、図７及び図８の機能的構成は例示に過ぎず、特に限定されない。即ち、上述した一連の処理を全体として実行できる機能がリスト端末１あるいは特典情報提供サーバ１００に備えられていれば足り、この機能を実現するためにどのような機能ブロックを用いるのかは特に図２等の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１６や図６のＲＯＭ１１２、図６の記憶部１１８に含まれるハードディスク等で構成される。
【００７４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００７５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７６】
以下に、本願の出願当初の特許請求の範囲に記載された発明を付記する。
［付記１］
日時、時間及び場所の少なくともいずれかに関連するユーザの履歴情報に基づいて、ユーザの健康状態に影響を及ぼす要因情報を取得する要因情報取得手段と、
前記要因情報取得手段によって取得された前記要因情報に基づいて、ユーザにとって注意を要するリスクに関連する特典情報を提供する特典情報提供手段と、
を備えることを特徴とする電子機器。
［付記２］
前記要因情報取得手段によって取得された前記要因情報が前記リスクに与える影響を示す評価値を前記リスクの種類毎に算出する評価値算出手段を備え、
前記特典情報提供手段は、前記評価値算出手段によって算出された前記評価値に基づいて、前記リスクの種類毎にリスクの高さを判定し、ユーザにとって注意を要するリスクを特定することを特徴とする付記１に記載の電子機器。
［付記３］
前記特典情報提供手段は、前記要因情報における日時、時間及び場所のうち、少なくとも２つがリスクに与える影響をそれぞれ反映させて、ユーザにとって注意を要するリスクを特定することを特徴とする付記１または２に記載の電子機器。
［付記４］
前記要因情報には、前記ユーザが滞在した地域に依存する要因情報が含まれることを特徴とする付記１から３のいずれか１つに記載の電子機器。
［付記５］
前記要因情報には、前記ユーザ周辺の環境に依存する要因情報が含まれることを特徴とする付記１から４のいずれか１つに記載の電子機器。
［付記６］
前記特典情報提供手段は、ユーザにとって注意を要するリスクについて、前記要因情報に基づくアドバイス情報を含む前記特典情報を提供することを特徴とする付記１から５のいずれか１つに記載の電子機器。
［付記７］
前記特典情報提供手段は、前記要因情報取得手段によって取得された前記要因情報に基づいて、前記ユーザの履歴情報が健康に対して適切であると判定される特定条件に適合しているか否かを判定し、前記ユーザの履歴情報が前記特定条件に適合している場合、ユーザに対して、保険に関する利益を付与するための前記特典情報を提供することを特徴とする付記１から６のいずれか１つに記載の電子機器。
［付記８］
電子機器と、前記電子機器とネットワークを介して通信可能に構成されたサーバとを含む特典情報提供システムにおけるサーバであって、
前記電子機器から、日時、時間及び場所の少なくともいずれかに関連するユーザの履歴情報に基づく、ユーザの健康状態に影響を及ぼす要因情報を含む特典情報提供要求を取得する要求取得手段と、
前記要求取得手段によって取得された前記要因情報に基づいて、ユーザにとって注意を要するリスクに関連する特典情報を取得する特典情報取得手段と、
前記特典情報取得手段で取得された前記特典情報を前記電子機器に送信する特典情報送信手段と、
を備えることを特徴とするサーバ。
［付記９］
電子機器が実行する特典情報提供方法であって、
日時、時間及び場所の少なくともいずれかに関連するユーザの履歴情報に基づいて、ユーザの健康状態に影響を及ぼす要因情報を取得する要因情報取得ステップと、
前記要因情報取得ステップにおいて取得された前記要因情報に基づいて、ユーザにとって注意を要するリスクに関連する特典情報を提供する特典情報提供ステップと、
を含むことを特徴とする特典情報提供方法。
［付記１０］
電子機器と、前記電子機器とネットワークを介して通信可能に構成されたサーバとを含む特典情報提供システムにおけるサーバが実行する特典情報提供方法であって、
前記電子機器から、日時、時間及び場所の少なくともいずれかに関連するユーザの履歴情報に基づく、ユーザの健康状態に影響を及ぼす要因情報を含む特典情報提供要求を取得する要求取得ステップと、
前記要求取得ステップにおいて取得された前記要因情報に基づいて、ユーザにとって注意を要するリスクに関連する特典情報を取得する特典情報取得ステップと、
前記特典情報取得ステップで取得された前記特典情報を前記電子機器に送信する特典情報送信ステップと、
を含むことを特徴とする特典情報提供方法。
［付記１１］
コンピュータに、
日時、時間及び場所の少なくともいずれかに関連するユーザの履歴情報に基づいて、ユーザの健康状態に影響を及ぼす要因情報を取得する要因情報取得機能と、
前記要因情報取得機能によって取得された前記要因情報に基づいて、ユーザにとって注意を要するリスクに関連する特典情報を提供する特典情報提供機能と、
を実現させることを特徴とするプログラム。
［付記１２］
電子機器と、前記電子機器とネットワークを介して通信可能に構成されたサーバとを含む特典情報提供システムにおけるサーバを構成するコンピュータに、
前記電子機器から、日時、時間及び場所の少なくともいずれかに関連するユーザの履歴情報に基づく、ユーザの健康状態に影響を及ぼす要因情報を含む特典情報提供要求を取得する要求取得機能と、
前記要求取得機能によって取得された前記要因情報に基づいて、ユーザにとって注意を要するリスクに関連する特典情報を取得する特典情報取得機能と、
前記特典情報取得機能で取得された前記特典情報を前記電子機器に送信する特典情報送信機能と、
を実現させることを特徴とするプログラム。
【符号の説明】
【００７７】
１・・・リスト端末，１１・・・制御部，１２・・・センサユニット，１３、１１６・・・入力部，１４・・・ＬＣＤ，１５・・・時計回路，１６、１１２・・・ＲＯＭ，１７、１１３・・・ＲＡＭ，１８・・・ＧＰＳアンテナ，１９・・・ＧＰＳモジュール，２０・・・無線通信用アンテナ，２１・・・無線通信モジュール，２２・・・ドライブ，３１・・・リムーバブルメディア，５１・・・位置取得部，５２・・・センサ情報取得部，５３・・・アクティビティ情報取得部，５４、１５２・・・評価値算出部，５５、１５３、２５４・・・特典情報提供部，７１、１７１・・・変換条件記憶部，１００・・・サーバ，１１１・・・ＣＰＵ，１１４・・・バス，１１５・・・入出力インターフェース，１１７・・・出力部，１１８・・・記憶部，１１９・・・通信部，１２０・・・ドライブ，１５１・・・要求取得部，１５４・・・特典情報送信部，２００・・・ネットワーク
【図１Ａ】
2019057069.tif 000003
【図１Ｂ】
2019057069.tif 000004
【図２】
2019057069.tif 000005
【図３】
2019057069.tif 000006
【図４】
2019057069.tif 000007
【図５】
2019057069.tif 000008
【図６】
2019057069.tif 000009
【図７】
2019057069.tif 000010
【図８】
2019057069.tif 000011
【図９】
2019057069.tif 000012
【図１０】
2019057069.tif 000013
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
日時及び場所の少なくともいずれかに関連するユーザの履歴情報に基づいて、ユーザにとって注意を要するリスクに関連する特典情報を提供する特典情報提供手段を備えることを特徴とする電子機器。
【請求項２】
日時及び場所の少なくともいずれかに関連するユーザの履歴情報に基づいて、ユーザの健康状態に影響を及ぼす要因情報を取得する要因情報取得手段を有し、
前記特典情報提供手段は、前記要因情報取得手段によって取得された前記要因情報に基づいて、ユーザにとって注意を要するリスクに関連する特典情報を提供する
ことを特徴とする請求項１に記載の電子機器。
【請求項３】
前記要因情報取得手段によって取得された前記要因情報が前記リスクに与える影響を示す評価値を前記リスクの種類毎に算出する評価値算出手段を備え、
前記特典情報提供手段は、前記評価値算出手段によって算出された前記評価値に基づいて、前記リスクの種類毎にリスクの高さを判定し、ユーザにとって注意を要するリスクを特定することを特徴とする請求項２に記載の電子機器。
【請求項４】
前記特典情報提供手段は、前記要因情報における日時及び場所、又は経過時間及び場所がリスクに与える影響をそれぞれ反映させて、ユーザにとって注意を要するリスクを特定することを特徴とする請求項２又は３に記載の電子機器。
【請求項５】
前記ユーザの行動に係る情報を取得する行動情報取得手段を有し、
前記特典情報提供手段は、前記行動情報取得手段により取得された前記行動に係る情報を前記要因情報としてさらに用いて、ユーザにとって注意を要するリスクを特定することを特徴とする請求項２乃至４の何れか１項に記載の電子機器。
【請求項６】
前記ユーザの行動に係る情報を取得する行動情報取得手段を有し、
前記特典情報提供手段は、前記行動情報取得手段により取得された前記行動に係る情報を前記要因情報としてさらに用いて、前記要因情報における日時、場所及び前記行動に係る情報のうち少なくとも２つがリスクに与える影響をそれぞれ反映させて、ユーザにとって注意を要するリスクを特定することを特徴とする請求項２乃至５の何れか１項に記載の電子機器。
【請求項７】
前記要因情報には、前記ユーザが滞在した地域に依存する要因情報が含まれることを特徴とする請求項２乃至６の何れか１項に記載の電子機器。
【請求項８】
前記要因情報には、前記ユーザ周辺の環境に依存する要因情報が含まれることを特徴とする請求項２乃至７の何れか１項に記載の電子機器。
【請求項９】
前記特典情報提供手段は、ユーザにとって注意を要するリスクについて、前記要因情報
に基づくアドバイス情報を含む前記特典情報を提供することを特徴とする請求項２乃至８の何れか１項に記載の電子機器。
【請求項１０】
前記特典情報提供手段は、前記要因情報取得手段によって取得された前記要因情報に基づいて、前記ユーザの履歴情報が健康に対して適切であると判定される特定条件に適合しているか否かを判定し、前記ユーザの履歴情報が前記特定条件に適合している場合、ユーザに対して、保険に関する利益を付与するための前記特典情報を提供することを特徴とする請求項２乃至９の何れか１項に記載の電子機器。
【請求項１１】
前記特典情報提供手段は、ユーザにとって注意を要するリスクについて、前記履歴情報に基づくアドバイス情報を含む前記特典情報を提供することを特徴とする請求項１から１０の何れか１項に記載の電子機器。
【請求項１２】
前記ユーザの行動に係る情報を取得する行動情報取得手段を有し、
前記特典情報提供手段は、前記行動情報取得手段により取得された前記行動に係る情報を前記履歴情報としてさらに用いて、ユーザにとって注意を要するリスクに関連する特典情報を提供することを特徴とする請求項１乃至１１の何れか１項に記載の電子機器。
【請求項１３】
電子機器と、前記電子機器とネットワークを介して通信可能に構成されたサーバとを含む特典情報提供システムにおけるサーバであって、
前記電子機器から、日時及び場所の少なくともいずれかに関連するユーザの履歴情報に基づいて、ユーザにとって注意を要するリスクに関連する特典情報を取得する特典情報取得手段と、
前記特典情報取得手段で取得された前記特典情報を前記電子機器に送信する特典情報送信手段と、
を備えることを特徴とするサーバ。
【請求項１４】
電子機器が実行する特典情報提供方法であって、
日時及び場所の少なくともいずれかに関連するユーザの履歴情報に基づいてユーザにとって注意を要するリスクに関連する特典情報を提供する特典情報提供ステップを含むことを特徴とする特典情報提供方法。
【請求項１５】
電子機器と、前記電子機器とネットワークを介して通信可能に構成されたサーバとを含む特典情報提供システムにおけるサーバが実行する特典情報提供方法であって、
前記電子機器から、日時及び場所の少なくともいずれかに関連するユーザの履歴情報に基づいて、ユーザにとって注意を要するリスクに関連する特典情報を取得する特典情報取得ステップと、
前記特典情報取得ステップで取得された前記特典情報を前記電子機器に送信する特典情報送信ステップと、
を含むことを特徴とする特典情報提供方法。
【請求項１６】
コンピュータに、
日時及び場所の少なくともいずれかに関連するユーザの履歴情報に基づいて、ユーザにとって注意を要するリスクに関連する特典情報を提供する特典情報提供機能を実現させることを特徴とするプログラム。
【請求項１７】
電子機器と、前記電子機器とネットワークを介して通信可能に構成されたサーバとを含む特典情報提供システムにおけるサーバを構成するコンピュータに、
前記電子機器から、日時及び場所の少なくともいずれかに関連するユーザの履歴情報に基づいて、ユーザにとって注意を要するリスクに関連する特典情報を取得する特典情報取得機能と、
前記特典情報取得機能で取得された前記特典情報を前記電子機器に送信する特典情報送信機能と、
を実現させることを特徴とするプログラム。
【手続補正２】
【補正対象書類名】明細書
【補正対象項目名】０００６
【補正方法】変更
【補正の内容】
【０００６】
上記目的を達成するため、本発明の一態様の電子機器は
日時及び場所の少なくともいずれかに関連するユーザの履歴情報に基づいて、ユーザにとって注意を要するリスクに関連する特典情報を提供する特典情報提供手段を備えることを特徴とする。